(57)【要約】【課題】利便性を向上させることが可能な情報読取機構および媒体処理装置を提供する。【解決手段】本開示の一実施の形態に係る情報読取機構は、開口を有し、情報が記録されたシート状媒体の第１の方向への搬送を案内する第１の搬送ガイドと、上記第１の方向と交差する第２の方向に沿って開口内を移動可能に構成され、シート状媒体から情報を読み取る第１の読取ヘッドと、上記第２の方向に沿って第１の読取ヘッドの両側に設けられ、開口内を第１の読取ヘッドと共に上記第２の方向に移動可能に構成された第２の搬送ガイドとを備えている。【選択図】図８
2018142114.tif 000002
【特許請求の範囲】
【請求項１】
開口を有し、情報が記録されたシート状媒体の第１の方向への搬送を案内する第１の搬送ガイドと、
前記第１の方向と交差する第２の方向に沿って前記開口内を移動可能に構成され、前記シート状媒体から前記情報を読み取る第１の読取ヘッドと、
前記第２の方向に沿って前記第１の読取ヘッドの両側に設けられ、前記開口内を前記第１の読取ヘッドと共に前記第２の方向に移動可能に構成された第２の搬送ガイドと
を備えた情報読取機構。
【請求項２】
前記第２の搬送ガイドが、前記第１の方向に沿った前記第１の読取ヘッドの両側に、更に設けられている
請求項１に記載の情報読取機構。
【請求項３】
前記シート状媒体から前記情報を読み取ると共に前記第２の方向に沿って固定配置された第２の読取ヘッドが、更に設けられている
請求項１または請求項２に記載の情報読取機構。
【請求項４】
前記第２の読取ヘッドが、前記シート状媒体の搬送路における前記第２の方向に沿った端部領域に固定配置されている
請求項３に記載の情報読取機構。
【請求項５】
前記第２の搬送ガイドのうちの前記第２の読取ヘッドに対向する部分の少なくとも一部が、前記第１の搬送ガイドの下方に配置可能となっている
請求項４に記載の情報読取機構。
【請求項６】
前記シート状媒体が、前記情報の読み取りが行われずに前記第１の方向へ搬送される場合には、
前記第１の読取ヘッドおよび前記第２の搬送ガイドがともに、前記開口内における前記第２の読取ヘッド側に位置する
請求項４に記載の情報読取機構。
【請求項７】
前記シート状媒体が、前記情報の読み取りが行われずに前記第１の方向へ搬送される場合には、
前記第１の読取ヘッドおよび前記第２の搬送ガイドがともに、前記開口内における前記第２の読取ヘッド側に位置すると共に、
前記第２の搬送ガイドのうちの前記第２の読取ヘッドに対向する部分の少なくとも一部が、前記第１の搬送ガイドの下方に配置される
請求項４に記載の情報読取機構。
【請求項８】
前記第１および第２の読取ヘッドはそれぞれ、前記シート状媒体が前記第１の方向へ搬送されている状態で、前記情報の読み取りを行う
請求項３ないし請求項７のいずれか１項に記載の情報読取機構。
【請求項９】
前記第１および第２の搬送ガイドはそれぞれ、前記開口の周辺領域に、前記シート状媒体の搬送路から外側へ向けて傾斜している傾斜部を更に有する
請求項１ないし請求項８のいずれか１項に記載の情報読取機構。
【請求項１０】
前記第１の読取ヘッドを前記第２の方向へ移動させる駆動部を更に備え、
前記第１の読取ヘッドによる前記情報の読み取り期間では、前記駆動部に対する電流の供給が、減少または停止する
請求項１ないし請求項９のいずれか１項に記載の情報読取機構。
【請求項１１】
前記第２の方向が、前記第１の方向と直交している
請求項１ないし請求項１０のいずれか１項に記載の情報読取機構。
【請求項１２】
情報が記録されたシート状媒体から前記情報を読み取る情報読取機構と、
前記シート状媒体に関する処理を行う媒体処理部と
を備え、
前記情報読取機構は、
開口を有し、前記シート状媒体の第１の方向への搬送を案内する第１の搬送ガイドと、
前記第１の方向と交差する第２の方向に沿って前記開口内を移動可能に構成され、前記シート状媒体から前記情報を読み取る第１の読取ヘッドと、
前記第２の方向に沿って前記第１の読取ヘッドの両側に設けられ、前記開口内を前記第１の読取ヘッドと共に前記第２の方向に移動可能に構成された第２の搬送ガイドと
を備えた媒体処理装置。
【発明の詳細な説明】
【技術分野】
【０００１】
本開示は、シート状媒体に記録された情報を読み取る情報読取機構、および、そのような情報読取機構を備えた媒体処理装置に関する。
【背景技術】
【０００２】
例えば小切手等の媒体（シート状媒体）に関する各種処理を行う、媒体処理装置が普及している（例えば、特許文献１，２参照）。この種の装置では一般に、シート状媒体上に記録されている情報を読み取るための情報読取機構が設けられている。このような情報の記録方法としては、例えば、シート状媒体上に磁気テープを貼り付ける方法や、シート状媒体上に磁気インクを用いた文字を印刷する方法などが挙げられる。
【０００３】
また、磁気インクを用いる後者の方法の一例としては、例えば、ＭＩＣＲ（Magnetic Ink Character Recognition）方式が挙げられる。このＭＩＣＲ方式では、磁気インクを用いた特殊なフォントで表された文字（ＭＩＣＲ文字）がシート状媒体上に印刷されており、この文字を磁気ヘッド等の情報読取部（読取ヘッド）によって読み取るようになっている。
【先行技術文献】
【特許文献】
【０００４】
【特許文献１】特開平８−１６１５８９号公報
【特許文献２】実公平２−３７１５３号公報
【発明の概要】
【発明が解決しようとする課題】
【０００５】
このような媒体処理装置における情報読取機構では一般に、利便性を向上させることが求められている。利便性を向上させることが可能な情報読取機構および媒体処理装置を提供することが望ましい。
【課題を解決するための手段】
【０００６】
本開示の一実施の形態に係る情報読取機構は、開口を有し、情報が記録されたシート状媒体の第１の方向への搬送を案内する第１の搬送ガイドと、上記第１の方向と交差する第２の方向に沿って開口内を移動可能に構成され、シート状媒体から情報を読み取る第１の読取ヘッドと、上記第２の方向に沿って第１の読取ヘッドの両側に設けられ、開口内を第１の読取ヘッドと共に上記第２の方向に移動可能に構成された第２の搬送ガイドとを備えたものである。
【０００７】
本開示の一実施の形態に係る媒体処理装置は、情報が記録されたシート状媒体から情報を読み取る情報読取機構と、シート状媒体に関する処理を行う媒体処理部とを備えたものである。上記情報読取機構は、開口を有し、シート状媒体の第１の方向への搬送を案内する第１の搬送ガイドと、上記第１の方向と交差する第２の方向に沿って開口内を移動可能に構成され、シート状媒体から情報を読み取る第１の読取ヘッドと、上記第２の方向に沿って第１の読取ヘッドの両側に設けられ、開口内を第１の読取ヘッドと共に第２の方向に移動可能に構成された第２の搬送ガイドとを備えている。
【発明の効果】
【０００８】
本開示の一実施の形態に係る情報読取機構および媒体処理装置によれば、利便性を向上させることが可能となる。
【図面の簡単な説明】
【０００９】
【図１】本開示の一実施の形態に係る媒体処理装置の概略構成例を表す模式図である。
【図２】図１に示したシート状媒体の一例としての小切手の構成例を表す模式図である。
【図３】図１に示したスキャナ部の詳細構成例を表す模式図である。
【図４】図３に示した磁気ヘッドの周辺部分（情報読取機構）の構成例および動作状態例を表す模式上面図である。
【図５】図４に示した情報読取機構における他の動作状態例を表す模式上面図である。
【図６】図４に示した動作状態例での情報読取機構の側面構成例を表す模式図である。
【図７】図６に示した情報読取機構での側面および断面の構成例を表す模式図である。
【図８】図４に示した動作状態例での小切手の磁気情報の読取動作例を表す模式上面図である。
【図９】図５に示した動作状態例での小切手の磁気情報の読取動作例を表す模式上面図である。
【図１０】磁気情報が読み取られずに小切手が搬送される際の動作状態例を表す模式上面図である。
【図１１】磁気情報が読み取られずに小切手が搬送される際の他の動作状態例を表す模式上面図である。
【図１２】磁気ヘッドを移動させる駆動部に供給される電流の大小関係例を表す模式図である。
【発明を実施するための形態】
【００１０】
以下、本開示の実施の形態について、図面を参照して詳細に説明する。なお、説明は以下の順序で行う。
１．実施の形態（固定式，可動式の２種類の磁気ヘッドを用いた小切手処理装置の例）
２．変形例
【００１１】
＜１．実施の形態＞
［小切手処理装置１全体の構成］
図１は、本開示の一実施の形態に係る媒体処理装置としての小切手処理装置１全体の概略構成例を、模式的に表したものである。小切手処理装置１は、例えば金融機関等に設置される自動取引装置（図示せず）の内部に組み込まれており、利用者（すなわち金融機関の顧客）との間で、小切手ＣＫの入金取引に関する各種処理を行う装置である。この小切手処理装置１は、本開示における「媒体処理装置」の一具体例に対応していると共に、小切手ＣＫは、本開示における「シート状媒体」の一具体例に対応している。
【００１２】
なお、上記した自動取引装置には、例えば、全体を統括的に制御する統括制御部や、利用者に向けて種々の情報を表示する表示部、利用者の操作指示を受け付けて統括制御部に通知する操作部等が設けられるようになっている。
【００１３】
ここで、例えば図２に示したように、上記した小切手ＣＫは、長方形の形状（矩形状）を有するシート状の媒体（紙葉状の媒体）である。具体的には、小切手ＣＫの短辺長は媒体幅Ｌ２であり、長辺長は媒体長Ｌ３となっている。これらの媒体幅Ｌ２および媒体長Ｌ３については、それぞれ、規格により範囲が規定されているものの、この範囲内では複数種類のサイズのものが存在する。また、この小切手ＣＫの表面上には、金額等の情報を含む磁気情報Ｉｍが記録されている。この磁気情報Ｉｍは、例えば図１に示したように、小切手ＣＫにおける長辺上の端部（この例では下端）から距離Ｌ１（ｍｍ）だけ離れた領域付近において、小切手ＣＫの長手方向に沿って記録されている。この距離Ｌ１については、上記した媒体幅Ｌ２および媒体長Ｌ３とは異なり、規格により一意に規定されている。このような磁気情報Ｉｍは、本開示における「情報」の一具体例に対応している。
【００１４】
なお、本実施の形態では、この磁気情報Ｉｍの記録方法として、小切手ＣＫ上に磁気インクを利用した文字（磁気インク文字）を印刷する方法が採用されている。この磁気インク文字を利用した記録方法の一例としては、例えば、前述したＭＩＣＲ方式が挙げられる。このＭＩＣＲ方式では、後述する磁気ヘッド等の情報読取部（読取ヘッド）を用いて、記録された磁気インク文字が読み取られるようになっている。
【００１５】
本実施の形態の小切手処理装置１は、図１に示したように、受入口１０と、搬送路Ｐ１，Ｐ２，Ｐ３と、スキャナ部１１と、エスクロ部１２と、スタッカ部１３と、切替部１４と、制御部１５とを備えている。なお、これらの各部材（小切手ＣＫに関する種々の媒体処理を行う複数の処理ユニット）は、図１に示したように、全体として直方体状に形成されたフレーム１００内に収容されている。
【００１６】
受入口１０は、利用者から挿入方向ｄ０に沿って挿入された小切手ＣＫを受け入れる部分であり、例えば開閉可能なシャッタ等を含んで構成されている。なお、この際に小切手ＣＫは、その長手方向を挿入方向ｄ０として、受入口１０に挿入されるようになっている。
【００１７】
搬送路Ｐ１は、受入口１０からスキャナ部１１へ向けて、図１に示した搬送方向ｄ１に沿って、小切手ＣＫを搬送する経路である。搬送路Ｐ２は、搬送路Ｐ１とエスクロ部１２との間を繋ぐ搬送路である。具体的には、搬送路Ｐ１の後方からスキャナ部１１を経由してエスクロ部１２へ向けて、図１に示した搬送方向ｄ２に沿って、この搬送路Ｐ２上を小切手ＣＫが搬送されるようになっている。また、エスクロ部１２からスキャナ部１１を経由して搬送路Ｐ３へ向けて、図１に示した搬送方向ｄ３に沿って、搬送路Ｐ２上を小切手ＣＫが搬送されるようになっている。搬送路Ｐ３は、搬送路Ｐ２から搬送方向ｄ３に沿って搬送されてきた小切手ＣＫを、スタッカ部１３へ向けて搬送する経路である。なお、これらの搬送路Ｐ１，Ｐ２，Ｐ３上には、例えば、搬送ベルトや搬送ガイド、搬送ローラ等が設けられて搬送機構が構成されることで、搬送路Ｐ１，Ｐ２，Ｐ３上をそれぞれ小切手ＣＫが搬送されるようになっている。
【００１８】
スキャナ部１１は、搬送路Ｐ２上を搬送方向ｄ２に沿って搬送されてきた小切手ＣＫの両面（表面および裏面）をそれぞれ撮像して、画像データを生成すると共に、この小切手から前述した磁気情報Ｉｍを読み取る部分である。このようにして得られた画像データおよび磁気情報Ｉｍの読み取り結果はそれぞれ、後述する制御部１５へと供給されるようになっている。なお、詳細は後述するが、搬送路Ｐ２上を搬送方向ｄ３に沿って、エスクロ部１２から搬送されてきた小切手ＣＫについては、上記した撮像動作による画像データの生成等は行われるものの、上記した磁気情報Ｉｍの読み取り動作は行われないようになっている。このようなスキャナ部１１の詳細構成例については、後述する（図３）。
【００１９】
エスクロ部１２は、スキャナ部１１を経由して搬送路Ｐ２上を搬送方向ｄ２に沿って搬送されてきた小切手ＣＫを、一時的に保留（収納）しておく部分である。このエスクロ部１２は、図１に示したように、回転可能に構成されたドラム１２０と、このドラム１２０の周側面に巻き付けられるテープ等とを有している。このテープと共に、搬送されてきた小切手ＣＫがドラム１２０の周側面上に順次巻き付けられることで、小切手ＣＫがエスクロ部１２内に一時的に保留されるようになっている。
【００２０】
スタッカ部１３は、スキャナ部１１を経由して搬送路Ｐ３上を搬送方向ｄ３に沿って搬送されてきた小切手ＣＫを、その内部に集積した状態で収納する部分である。このスタッカ部１３は、内部に多数の小切手ＣＫを集積した状態で収納可能なスタッカと、このスタッカ内に搬送されてきた小切手ＣＫを放出する放出機構等とを有している。なお、図１に示した例では、スタッカ部１３が１つだけ設けられているが、この例には限られず、小切手処理装置１内に複数のスタッカ部１３が設けられているようにしてもよい。
【００２１】
切替部１４は、例えば図１中の実線の矢印で示したように回転動作を行うことにより、小切手ＣＫの搬送路の切り替え動作を行う部分である。具体的には、切替部１４は、搬送路Ｐ１上を搬送方向ｄ１に沿って搬送されてきた小切手ＣＫが、搬送路Ｐ２上を搬送方向ｄ２に沿って搬送されるように、切り替え動作を行う。また、切替部１４は、搬送路Ｐ２上を搬送方向ｄ３に沿って搬送されてきた小切手ＣＫが、搬送路Ｐ３上を搬送方向ｄ３に沿って搬送されるように、切り替え動作を行うようになっている。
【００２２】
制御部１５は、小切手処理装置１における全体の動作を制御する部分であり、前述した自動取引装置における統括制御部と連携しながら、そのような制御を行うようになっている。具体的には、制御部１５は、例えば、上記した切替部１４による搬送路の切り替え動作や、各搬送路Ｐ１，Ｐ２，Ｐ３上における搬送ベルトや搬送ローラ等による搬送動作、スキャナ部１１内での前述した磁気情報Ｉｍの読み取り動作や撮像動作等の制御を行う。また、制御部１５は、例えば、前述した受入口１０による小切手ＣＫの受け入れ動作や、エスクロ部１２による小切手ＣＫの一時的な保留動作、スタッカ部１３による小切手ＣＫの収納動作等の制御も行う。
【００２３】
このような制御部１５は、ＣＰＵ（Central Processing Unit）を中心に構成されている。制御部１５は、ＲＯＭ（Read Only Memory）やフラッシュメモリ等から、所定のプログラムを読み出して実行することにより、小切手ＣＫの入金取引に関する各種処理を行うようになっている。また、制御部１５は、その内部に、ＲＡＭ（Random Access Memory）、ハードディスクドライブやフラッシュメモリ等からなる記憶部を有している。この記憶部には、各種プログラムや、入金取引に関する各種の情報が記憶されるようになっている。
【００２４】
［スキャナ部１１の構成］
次に、図３を参照して、前述したスキャナ部１１の詳細構成例について説明する。図３は、このスキャナ部１１の詳細構成例を模式的に表したものである。
【００２５】
スキャナ部１１は、一対の搬送ガイド１１０ｕ，１１０ｄと、４つの搬送ローラ対１１１Ａ，１１１Ｂ，１１１Ｃ，１１１Ｄと、磁気トリガセンサ１１５Ａと、印字トリガセンサ１１５Ｂと、磁気ヘッド１１６と、一対の撮像部１１７ｕ，１１７ｄと、スタンプ押印部１１８と、プリンタ１１９とを備えている。
【００２６】
搬送ガイド１１０ｕ，１１０ｄはそれぞれ、図３に示したように、Ｚ軸方向に沿って互いに対向するようにして固定配置されており、Ｘ軸方向に沿って延在する平板状の部材である。具体的には、搬送ガイド１１０ｕは、相対的に上方向（Ｚ軸上の正方向側）に配置されており、搬送ガイド１１０ｄは、相対的に下方向（Ｚ軸上の負方向側）に配置されている。図３に示したように、これら搬送ガイド１１０ｕ，１１０ｄの間の空間に、Ｘ軸方向に沿って延在する搬送路Ｐ２が形成されるようになっている。このような搬送ガイド１１０ｕ，１１０ｄはそれぞれ、小切手ＣＫのＸ軸方向（搬送方向ｄ２，ｄ３）への搬送を案内する、案内部材として機能するものである。
【００２７】
なお、これらの搬送ガイド１１０ｕ，１１０ｄはそれぞれ、本開示における「第１の搬送ガイド」の一具体例に対応している。また、上記したＸ軸方向（搬送方向ｄ２，ｄ３）は、本開示における「第１の方向」の一具体例に対応している。
【００２８】
搬送ローラ対１１１Ａ，１１１Ｂ，１１１Ｃ，１１１Ｄは、搬送路Ｐ２（搬送ガイド１１０ｕ，１１０ｄ）に沿った離散的な位置に配置されている。これらの搬送ローラ対１１１Ａ，１１１Ｂ，１１１Ｃ，１１１Ｄはそれぞれ、図３に示したように、搬送路Ｐ２を介して互いに対向配置された、駆動ローラ１１２および従動ローラ１１３により構成されている。また、各従動ローラ１１３は、スプリング１１４によって駆動ローラ１１２の方向へと付勢されている。このような構成により、搬送ローラ対１１１Ａ，１１１Ｂ，１１１Ｃ，１１１Ｄはそれぞれ、搬送路Ｐ２上において、搬送方向ｄ２または搬送方向ｄ３に沿って、小切手ＣＫを搬送させるようになっている。
【００２９】
磁気トリガセンサ１１５Ａは、図３に示したように、搬送路Ｐ２に沿って搬送ローラ対１１１Ｂ，１１１Ｃの間の位置に配置されており、光学センサを用いて構成されている。具体的には、所定の検知光を発する発光素子と、この検知光を受光する受光素子とが、搬送路Ｐ２を挟んでＺ軸方向に沿って個別に配置されることで、磁気トリガセンサ１１５Ａが構成されている。このような受光素子による検知光の受光結果は、受光信号として制御部１５へと供給されるようになっている。そして、制御部１５は、後述する入金読取処理の実行中に、検知光が受光されなくなった旨の受光結果を受け取ったときには、搬送方向ｄ２に沿って小切手ＣＫの先端が搬送されてきたことで検知光の光路が遮られたと判断し、後述する磁気ヘッド１１６による磁気情報Ｉｍの読み取り動作を開始させる。一方、制御部１５は、検知光が再び受光された旨の受光結果を受け取ったときには、小切手ＣＫの末端が通過したことで検知光の光路が遮られなくなったと判断し、磁気ヘッド１１６による磁気情報Ｉｍの読み取り動作を終了させるようになっている。
【００３０】
印字トリガセンサ１１５Ｂは、図３に示したように、搬送路Ｐ２に沿って、後述するプリンタ１１９と搬送ローラ対１１１Ｄとの間の位置に配置されており、上記した磁気トリガセンサ１１１５Ａと同様の光学センサを用いて構成されている。制御部１５は、後述する収納処理の実行中に、検知光が受光されなくなった旨の受光結果を受け取ったときには、搬送方向ｄ３に沿って小切手ＣＫの先端が搬送されてきたことで検知光の光路が遮られたと判断し、以下の動作を行わせる。すなわち、制御部１５は、後述するプリンタ１１９による小切手ＣＫ上への印字動作や、後述するスタンプ押印部１１８による小切手ＣＫ上への押印動作を行わせるようになっている。
【００３１】
磁気ヘッド１１６は、搬送路Ｐ２上を搬送される小切手ＣＫから磁気情報Ｉｍを読み取る素子であり、図３に示したように、搬送路Ｐ２に沿って、磁気トリガセンサ１１５Ａと搬送ローラ対１１１Ｃとの間の位置に配置されている。具体的には、この例では、磁気ヘッド１１６は、搬送路Ｐ２の下方（搬送ガイド１１０ｄ側の位置）に配置されている。また、この例では磁気ヘッド１１６は、後述する可動磁気ヘッド２１Ａおよび固定磁気ヘッド２１Ｂの、２種類の磁気ヘッドにより構成されている。これらのうちの可動磁気ヘッド２１Ａは、詳細は後述するが、図３に示した駆動部２８によってその移動動作が制御されるようになっている。換言すると、この駆動部２８は、可動磁気ヘッド２１Ａを移動させる動作を行う。このような磁気ヘッド１１６は、その上面の一部を小切手ＣＫに当接させることによって、この小切手ＣＫに記録されている磁気情報Ｉｍの読み取りを行うようになっている。また、磁気ヘッド１１６（可動磁気ヘッド２１Ａおよび固定磁気ヘッド２１Ｂ）はそれぞれ、小切手ＣＫが搬送路Ｐ２上で停止された状態ではなく、小切手ＣＫが搬送路Ｐ２上を搬送方向ｄ２へ搬送されている状態で、そのような磁気情報Ｉｍの読み取りを行うようになっている。なお、このようにして得られた磁気情報Ｉｍの読み取り結果は、前述したように、制御部１５へと供給されるようになっている。
【００３２】
なお、図３に示したように、このような磁気ヘッド１１６（可動磁気ヘッド２１Ａおよび固定磁気ヘッド２１Ｂ）の周辺部分において、磁気ヘッド１１６および駆動部２８などを含むようにして、後述する情報読取機構２が構成されるようになっている。
【００３３】
撮像部１１７ｕ，１１７ｄはそれぞれ、図３に示したように、搬送路Ｐ２に沿って搬送ローラ対１１１Ａ，１１１Ｂの間の位置に配置されている。具体的には、撮像部１１７ｕは、搬送路Ｐ２の上方（搬送ガイド１１０ｕ側の位置）に配置されていると共に、撮像部１１７ｄは、搬送路Ｐ２の下方（搬送ガイド１１０ｄ側の位置）に配置されている。撮像部１１７ｕは、搬送路Ｐ２上を搬送方向ｄ２に沿って搬送されてきた小切手ＣＫについて、その表面（搬送ガイド１１０ｕ側の面）を撮像することで、画像データを生成するものである。一方、撮像部１１７ｄは、搬送路Ｐ２上を搬送方向ｄ２に沿って搬送されてきた小切手ＣＫについて、その裏面（搬送ガイド１１０ｄ側の面）を撮像することで、画像データを生成するものである。なお、このようにして得られた画像データは、前述したように、制御部１５へと供給されるようになっている。
【００３４】
スタンプ押印部１１８は、図３に示したように、搬送路Ｐ２に沿って、搬送ローラ対１１１Ｃとプリンタ１１９との間の位置に配置されている。具体的には、この例では、スタンプ押印部１１８は、搬送路Ｐ２の下方（搬送ガイド１１０ｄ側の位置）に配置されている。このスタンプ押印部１１８は、制御部１５による制御に基づき、搬送路Ｐ２上を搬送されてきた小切手ＣＫ上に、所定の文字や記号等を表すスタンプを押印するようになっている。
【００３５】
プリンタ１１９は、図３に示したように、搬送路Ｐ２に沿って、スタンプ押印部１１８と印字トリガセンサ１１５Ｂとの間の位置に配置されている。具体的には、この例では、プリンタ１１９は、搬送路Ｐ２の上方（搬送ガイド１１０ｕ側の位置）に配置されている。このプリンタ１１９は、制御部１５による制御に基づき、搬送路Ｐ２上を搬送されてきた小切手ＣＫ上に、取引結果等の内容を表す文字や記号等を印刷するようになっている。
【００３６】
［情報読取機構２の構成］
続いて、図４〜図７を参照して、前述した情報読取機構２の詳細構成例について説明する。
【００３７】
図４は、この情報読取機構２の構成例および動作状態例を、模式的に上面図（Ｘ−Ｙ上面図）で表したものである。図５は、図４に示した情報読取機構２における他の動作状態例を、模式的に上面図（Ｘ−Ｙ上面図）で表したものである。図６は、図４に示した動作状態例での情報読取機構２の側面構成例（Ｙ−Ｚ側面構成例）を、模式的に表したものである。図７は、図６に示した情報読取機構２での側面（Ｚ−Ｘ側面）および断面（Ｚ−Ｘ断面）の構成例を、模式的に表したものである。
【００３８】
情報読取機構２は、前述した小切手ＣＫから磁気情報Ｉｍを読み取る動作を行う機構である。この情報読取機構２は、図４〜図７に示したように、前述した搬送ガイド１１０ｕ，１１０ｄと共に、支持部材２０、可動磁気ヘッド２１Ａ、固定磁気ヘッド２１Ｂ、可動搬送ガイド２２Ａ、固定搬送ガイド２２Ｂを有している。情報読取機構２はまた、スプリング２３Ａ，２３Ｂ、ブラケット２４Ａ，２４Ｂ，２５、シャフト２６１，２６２，２６３、ローラ２７Ａ，２７Ｂおよび駆動部２８を有している。なお、この情報読取機構２は、本開示における「情報読取機構」の一具体例に対応している。
【００３９】
支持部材２０は、図６に示したように、情報読取機構２における各部材を連結して固定することで、情報読取機構２全体を支持する部材である。
【００４０】
搬送ガイド１１０ｄは、概略については前述したが、図４および図５に示したように、Ｘ軸方向（小切手ＣＫの搬送方向ｄ２，ｄ３）に沿って延在しており、平板状の形状で固定配置された案内部材である。また、図６および図７に示したように、この搬送ガイド１１０ｄともう一方の搬送ガイド１１０ｕとの間には、Ｘ軸方向に沿って延在する搬送路Ｐ２が形成されている。そして、図４および図５に示したように、この搬送ガイド１１０ｄには、以下説明する可動磁気ヘッド２１Ａおよび固定磁気ヘッド２１Ｂの配置領域および可動領域付近に、Ｚ軸方向（厚み方向）に沿って貫通する開口Ａ１が形成されている。なお、この開口Ａ１は、本開示における「開口」の一具体例に対応している。
【００４１】
固定磁気ヘッド２１Ｂは、前述したように、小切手ＣＫに記録されている磁気情報Ｉｍを読み取る素子であり、以下説明する可動磁気ヘッド２１Ａとは異なり、小切手ＣＫの搬送路Ｐ２の幅方向（Ｙ軸方向）に沿って固定配置されている。具体的には、この例では図４〜図６に示したように、固定磁気ヘッド２１Ｂは、搬送路Ｐ２の幅方向（Ｙ軸方向）に沿った端部領域（搬送路Ｐ２の幅方向の一端である基準面Ｓ１側の領域）に、固定配置されている。この基準面Ｓ１側の領域に固定磁気ヘッド２１Ｂが配置されているのは、詳細は後述するが、小切手ＣＫが、事前に基準面Ｓ１側への幅寄せ処理がなされた状態で搬送路Ｐ２上を搬送されてくるためである。なお、この固定磁気ヘッド２１Ｂは、本開示における「第２の読取ヘッド」の一具体例に対応している。
【００４２】
可動磁気ヘッド２１Ａもまた、前述したように、固定磁気ヘッド２１Ｂと共に、小切手ＣＫに記録されている磁気情報Ｉｍを読み取る素子である。ただし、この可動磁気ヘッド２１Ａは、上記した固定磁気ヘッド２１Ｂとは異なり、移動可能な素子である。具体的には、この例では図４〜図６に示したように、可動磁気ヘッド２１Ａは、小切手ＣＫの搬送方向ｄ２，ｄ３（Ｘ軸方向）とは直交する方向である移動方向ｄ４１，ｄ４２（Ｙ軸方向）に沿って、搬送ガイド１１０ｄ上の開口Ａ１内を移動可能に構成されている。すなわち、例えば図４に示したように、可動磁気ヘッド２１Ａは、固定磁気ヘッド２１Ｂに対向する位置（基準面Ｓ１側の領域）まで、移動方向ｄ４１に沿って移動できるようになっている。また、例えば図５に示したように、可動磁気ヘッド２１Ａは、固定磁気ヘッド２１Ｂの配置位置とは逆側の位置（搬送路Ｐ２の幅方向に沿った他端側の領域）まで、移動方向ｄ４２に沿って移動できるようになっている。このような可動磁気ヘッド２１Ａの移動動作は、前述した駆動部２８（図３）によって制御されるようになっている。なお、このような可動磁気ヘッド２１Ａは、本開示における「第１の読取ヘッド」の一具体例に対応しており、Ｙ軸方向（移動方向ｄ４１，ｄ４２）は、本開示における「第２の方向」の一具体例に対応している。
【００４３】
ここで、情報読取機構２内に、このような固定磁気ヘッド２１Ｂおよび可動磁気ヘッド２１Ａの２種類の磁気ヘッドが設けられているのは、以下の理由によるものである。すなわち、まず、小切手ＣＫの受入口１０への挿入状態（表裏の向きや、幅方向の向きの状態）等に関わらず、挿入されて搬送路Ｐ２上を搬送されてきた小切手ＣＫの磁気情報Ｉｍを確実に読み取るためには、小切手ＣＫの幅方向に移動可能な可動磁気ヘッド２１Ａが必要となる。ただし、仮に、この可動磁気ヘッド２１Ａの１つの磁気ヘッドだけで磁気情報Ｉｍの読み取り動作を行おうとした場合、以下のようになる。すなわち、小切手ＣＫが受入口１０に挿入されてから磁気情報Ｉｍの読み取りが行われるまでの期間内で、可動磁気ヘッド２１Ａ単体を適切な位置（磁気情報Ｉｍの記録位置付近）に移動完了させておくことは、一般的な媒体処理装置の仕様やコスト等を考慮すると、難しいのが実情である。これは、小切手ＣＫのサイズ（図２に示した媒体幅Ｌ２）や挿入状態（挿入向き）、磁気情報Ｉｍの位置等を、制御部１５により認識して可動磁気ヘッド２１Ａを移動制御するには、ある程度の時間を要するためである。
【００４４】
そこで、本実施の形態の情報読取機構２では、図４〜図６に示したように、固定磁気ヘッド２１Ｂおよび可動磁気ヘッド２１Ａの２種類の磁気ヘッドが設けられている。これにより、詳細は後述するが、小切手ＣＫが、事前に基準面Ｓ１側への幅寄せ処理がなされた状態で搬送路Ｐ２上を搬送されてきたときに、磁気情報Ｉｍの読み取り動作が以下のように行われるようになっている。すなわち、基準面Ｓ１側に位置する磁気情報Ｉｍについては、固定磁気ヘッド２１Ｂが読み取り動作を担当する。一方、この固定磁気ヘッド２１ＢによるＹ軸方向の読み取り可能範囲を超えた位置の（固定磁気ヘッド２１Ｂの配置位置と比べ、Ｙ軸方向に沿って基準面Ｓ１の反対側に位置する）磁気情報Ｉｍについては、可動磁気ヘッド２１Ａが移動することで読み取り動作を担当している。
【００４５】
固定搬送ガイド２２Ｂは、前述した搬送ガイド１１０ｕ，１１０ｄと同様に、平板状の形状で固定配置された案内部材（小切手ＣＫの搬送を案内する部材）である。この例では図４および図５に示したように、この固定搬送ガイド２２Ｂは、固定磁気ヘッド２１Ｂの周辺領域（基準面Ｓ１の近傍領域）に固定配置されている。具体的には、この例では固定搬送ガイド２２Ｂは、固定磁気ヘッド２１Ｂを囲む領域（固定磁気ヘッド２１ＢのＸ軸方向に沿った両端側の領域、および、Ｙ軸方向に沿った基準面Ｓ１とは反対側の領域）に固定配置されている。
【００４６】
可動搬送ガイド２２Ａもまた、これまでに説明した搬送ガイド１１０ｕ，１１０ｄおよび固定搬送ガイド２２Ｂと同様に平板状の形状を有しており、小切手ＣＫの搬送を案内する部材である。ただし、この可動搬送ガイド２２Ａは、搬送ガイド１１０ｕ，１１０ｄおよび固定搬送ガイド２２Ｂとは異なり、前述した可動磁気ヘッド２１Ａと共に開口Ａ１内を移動可能に構成されている。具体的には、この例では図４〜図６に示したように、可動磁気ヘッド２１Ａの移動方向ｄ４１，ｄ４２（Ｙ軸方向）に沿って、可動搬送ガイド２２Ａもまた、開口Ａ１内を移動可能となっている。
【００４７】
このような可動搬送ガイド２２Ａは、この例では図４〜図６に示したように、互いに分離配置された、３つの可動搬送ガイド２２Ａａ，２２Ａｂ，２２Ａｃにより構成されている。図４および図５に示したように、可動搬送ガイド２２Ａａは、Ｙ軸方向（移動方向ｄ４１，ｄ４２）に沿って可動磁気ヘッド２１Ａの一方側（基準面Ｓ１側，固定磁気ヘッド２１Ｂに対向する側）に配置されている。可動搬送ガイド２２Ａｂは、Ｙ軸方向に沿って、可動磁気ヘッド２１Ａの他方側（基準面Ｓ１とは反対側）に配置されている。また、可動搬送ガイド２２Ａｃは、可動磁気ヘッド２１Ａを囲む領域（可動磁気ヘッド２１ＡのＸ軸方向に沿った両端側の領域、および、Ｙ軸方向に沿った基準面Ｓ１とは反対側の領域）に配置されている。なお、このような可動搬送ガイド２２Ａ（可動搬送ガイド２２Ａａ，２２Ａｂ，２２Ａｃ）は、本開示における「第２の搬送ガイド」の一具体例に対応している。
【００４８】
ここで、本実施の形態の情報読取機構２では、上記したように、可動搬送ガイド２２Ａが、移動方向ｄ４１，４２（Ｙ軸方向）に沿って可動磁気ヘッド２１Ａの両側に設けられている。また、この例では上記したように、可動搬送ガイド２２Ａが、Ｘ軸方向（小切手ＣＫの搬送方向ｄ２，ｄ３）に沿って、可動磁気ヘッド２１Ａの少なくとも一方側（この例では両端側）にも設けられている。
【００４９】
また、この情報読取機構２では、図６に示したように、可動搬送ガイド２２Ａｂ，２２Ａｃにおける配置位置の高さ（Ｚ軸方向の位置）はそれぞれ、搬送ガイド１１０ｄおよび固定搬送ガイド２２Ｂにおける各配置位置の高さと同一となっている（揃えて設定されている）。一方、可動搬送ガイド２２Ａａ（可動搬送ガイド２２Ａのうちの固定磁気ヘッド２１Ｂに対向する部分）における配置位置の高さは、以下のようになっている。すなわち、可動搬送ガイド２２Ａａにおける配置位置の高さは、この例では図６に示したように、搬送ガイド１１０ｄおよび固定搬送ガイド２２Ｂにおける各配置位置の高さとは異なっており、これらの高さよりも低くなるように設定されている。具体的には、この例では図６に示したように、可動搬送ガイド２２Ａａにおける少なくとも一部の領域（この例では全ての領域）が、搬送ガイド１１０ｄの下方に潜り込むようにして重ねて配置可能となっている。
【００５０】
更に、例えば図７に示したように、搬送ガイド１１０ｕ，１１０ｄおよび可動搬送ガイド２２Ａ（２２Ａａ，２２Ａｂ，２２Ａｃ）はそれぞれ、開口Ａ１の周辺領域に、傾斜部Ｓ２，Ｓ３を有している。これらの傾斜部Ｓ２，Ｓ３はそれぞれ、小切手ＣＫの搬送路Ｐ２からその外部（この例ではＺ軸方向に沿った上下方向）へ向けて、所定の傾斜角の分だけ傾斜している部分（傾斜面）である。
【００５１】
スプリング２３Ａは、図６に示したように、以下説明するブラケット２４Ａとブラケット２５とを接続する弾性部材であり、Ｚ軸方向に沿って延在するように配置されている。スプリング２３Ｂは、支持部材２０と以下説明するブラケット２４Ｂとを接続する弾性部材であり、Ｚ軸方向に沿って延在するように配置されている。
【００５２】
ブラケット２４Ａは、図６に示したように、可動磁気ヘッド２１Ａおよび可動搬送ガイド２２Ａｃをそれぞれ固定して支持する部材である。ブラケット２４Ｂは、図６に示したように、固定磁気ヘッド２１Ｂおよび固定搬送ガイド２２Ｂをそれぞれ固定して支持する部材である。ブラケット２５は、図６に示したように、可動搬送ガイド２２Ａａ，２２Ａｂをそれぞれ固定して支持する部材である。なお、ブラケット２４Ａは、上記したスプリング２３Ａの弾性作用を利用して、例えば図６中の破線の矢印で示したように、ブラケット２５に対してＺ軸方向（上下方向）に沿った変位が可能となっている。同様に、ブラケット２４Ｂは、上記したスプリング２３Ｂの弾性作用を利用して、例えば図６中の破線の矢印で示したように、支持部材２０に対してＺ軸方向に沿った変位が可能となっている。一方、ブラケット２５は、例えば図６中の破線の矢印で示したように、支持部材２０（以下説明するシャフト２６２）に対してＹ軸方向（移動方向ｄ４１，ｄ４２）に沿った変位が可能となっている。このようなブラケット２５のＹ軸方向の変位を利用して、前述したように、可動搬送ガイド２２Ａａ，２２Ａｂの移動方向ｄ４１，ｄ４２に沿った移動が可能となっている。また、スプリング２３Ａおよびブラケット２４Ａを介して、前述したような、可動磁気ヘッド２１Ａおよび可動搬送ガイド２２Ａｃの移動方向ｄ４１，ｄ４２に沿った移動も可能となっている。
【００５３】
シャフト２６１は、図６に示したように、Ｙ軸方向に沿って延在している。このシャフト２６１の周囲には、以下説明するローラ２７Ａ，２７Ｂがそれぞれ、互いに離間した状態にて配置されている。シャフト２６２は、図４〜図６に示したようにＹ軸方向に沿って延在しており、図７に示したように、ブラケット２５においてＹ軸方向に沿って形成された開口Ａ２内に、挿入配置されている。シャフト２６３も同様に、図４および図５に示したようにＹ軸方向に沿って延在しており、図７に示したように、ブラケット２５においてＹ軸方向に沿って形成された開口Ａ３内に、挿入配置されている。これにより、ブラケット２５がシャフト２６２，２６３の軸方向（Ｙ軸方向）に移動することで、可動磁気ヘッド２１Ａおよび可動搬送ガイド２２Ａ（２２Ａａ，２２Ａｂ，２２Ａｃ）の移動方向ｄ４１，ｄ４２に沿った移動も可能となっている。
【００５４】
ローラ２７Ａ，２７Ｂはそれぞれ、前述したように、シャフト２６１の周囲に互いに離間した状態にて配置されている。これらのローラ２７Ａ，２７Ｂはそれぞれ、シャフト２６１を回転軸（Ｙ軸方向）とした回転動作（Ｚ−Ｘ平面内での回転動作）が可能となっている。また、図６に示したように、ローラ２７Ａの表面には、前述したスプリング２３Ａの弾性作用によって、可動磁気ヘッド２１Ａが常に押し付けられるようになっている。同様に、図６に示したように、ローラ２７Ｂの表面には、前述したスプリング２３Ｂの弾性作用によって、固定磁気ヘッド２１Ｂが常に押し付けられるようになっている。このようにして、搬送路Ｐ２上を搬送されてきた小切手ＣＫが、ローラ２７Ａ，２７Ｂと可動磁気ヘッド２１Ａおよび固定磁気ヘッド２１Ｂとの間を通過する際に、可動磁気ヘッド２１Ａおよび固定磁気ヘッド２１Ｂに押し付けられることで、磁気情報Ｉｍの読み取り動作が可能となっている。
【００５５】
駆動部２８は、前述したように、可動磁気ヘッド２１Ａを移動方向ｄ４１，ｄ４２に沿って移動させる動作を行う部分であり、各種方式のアクチュエータを用いて構成されている。なお、詳細は後述するが（図１２）、このようにして可動磁気ヘッド２１Ａを移動させる（駆動する）際に駆動部２８に流れる電流（駆動電流）Ｉｄには、期間に応じた所定の大小関係が設定されるようになっている。
【００５６】
ここで、これまでに説明した、搬送路Ｐ１，Ｐ２，Ｐ３、撮像部１１７ｕ，１１７ｄ、スタンプ押印部１１８、プリンタ１１９、エスクロ部１２、スタッカ部１３、切替部１４および制御部１５が、本開示における「媒体処理部」（この例では、小切手ＣＫに関する処理を行う部分）の一具体例に対応している。ただし、これらの搬送路Ｐ１，Ｐ２，Ｐ３、撮像部１１７ｕ，１１７ｄ、スタンプ押印部１１８、プリンタ１１９、エスクロ部１２、スタッカ部１３、切替部１４および制御部１５のうちの選択された任意の一部分が、本開示における「媒体処理部」に対応するようにしてもよい。
【００５７】
［動作および作用・効果］
（Ａ．小切手処理装置１の基本動作）
この小切手処理装置１では、以下のようにして、利用者との間で、小切手ＣＫの入金取引に関する各種処理が行われる。
【００５８】
（入金読取処理）
すなわち、図１に示したように、小切手ＣＫが挿入方向ｄ０に沿って受入口１０へ挿入されると、まず、搬送路Ｐ１，Ｐ２（搬送方向ｄ１，ｄ２）に沿った、小切手ＣＫの入金読取処理が行われる。
【００５９】
この入金読取処理では、受入口１０から挿入された小切手ＣＫは、図１に示したように、まず、搬送路Ｐ１上を搬送方向ｄ１に沿って、切替部１４へ向けて搬送される。この際に搬送路Ｐ１上では、小切手ＣＫに対して、前述した基準面Ｓ１側への幅寄せ処理がなされる。具体的には、小切手ＣＫの幅方向（Ｙ軸方向）に沿った基準面Ｓ１側へ向けて、小切手ＣＫが寄せて配置される処理が行われる。
【００６０】
このようにして、図１に示したように、搬送路Ｐ１上を小切手ＣＫが切替部１４の位置まで搬送されてくると、切替部１４は以下のような切り替え動作を行う。すなわち、切替部１４は、搬送路Ｐ１上を搬送方向ｄ１に沿って搬送されてきた小切手ＣＫが、搬送路Ｐ２上を搬送方向ｄ２に沿って搬送されるように、切り替え動作を行う。これにより、搬送路Ｐ１の後方からスキャナ部１１を経由してエスクロ部１２へ向けて、図１に示した搬送方向ｄ２に沿って、この搬送路Ｐ２上を小切手ＣＫが搬送される。
【００６１】
この際にスキャナ部１１は、搬送路Ｐ２上を搬送方向ｄ２に沿って搬送されてきた小切手ＣＫの両面（表面および裏面）をそれぞれ撮像して、画像データを生成すると共に、この小切手ＣＫから磁気情報Ｉｍを読み取る。なお、このようにして得られた画像データおよび磁気情報Ｉｍの読み取り結果はそれぞれ、制御部１５へと供給される。
【００６２】
ここで、このスキャナ部１１では、具体的には以下のようにして、磁気情報Ｉｍの読み取り動作等がなされる。すなわち、図３に示したように、まず、スキャナ部１１へと搬送されてきた小切手ＣＫは、搬送ガイド１１０ｕ，１１０ｄにより、Ｘ軸方向（搬送方向ｄ２）への搬送が案内される。また、この際に、搬送ローラ対１１１Ａ，１１１Ｂ，１１１Ｃ，１１１Ｄはそれぞれ、搬送路Ｐ２上を搬送方向ｄ２に沿って、小切手ＣＫを搬送させる。
【００６３】
ここで、このような入金読取処理の実行中には、撮像部１１７ｕ，１１７ｄがそれぞれ、搬送路Ｐ２上を搬送方向ｄ２に沿って搬送されてきた小切手ＣＫについて、その表面および裏面を撮像することで、上記した画像データを生成する。また、磁気トリガセンサ１１５Ａによる検知光の受光結果をトリガとして、磁気ヘッド１１６（可動磁気ヘッド２１Ａおよび固定磁気ヘッド２１Ｂ）による、小切手ＣＫ上の磁気情報Ｉｍの読み取り動作が行われる。
【００６４】
このようにして、スキャナ部１１での画像データの生成動作および磁気情報Ｉｍの読み取り動作がなされると、図１に示したように、小切手ＣＫは引き続き、搬送路Ｐ２上を搬送方向ｄ２に沿ってエスクロ部１２へと搬送される。このエスクロ部１２では、搬送されてきた小切手ＣＫが一時的に保留（収納）される。以上により、小切手ＣＫの入金読取処理が終了となる。
【００６５】
続いて、このような小切手ＣＫの入金読取処理が終了すると、取得された画像データや磁気情報Ｉｍに基づく内容が、例えば表示部等に表示されると共に、利用者に対して、小切手ＣＫの入金取引を継続するのか否かについての問い合わせがなされる。
【００６６】
（返却処理）
ここで、利用者からの操作部等への操作に基づいて、小切手ＣＫの入金取引を中止する旨の指示を受けた場合、媒体処理装置１では、以下のような小切手ＣＫの利用者への返却処理が行われる。すなわち、図１を参照すると、エスクロ部１２に保留されている小切手ＣＫが、搬送路Ｐ２および搬送路Ｐ１上をそれぞれ、搬送方向ｄ２，ｄ１の逆方向へと搬送されることで、受入口１０から利用者へと返却される。なお、このような返却処理の際には、スキャナ部１１において、画像データの生成動作や磁気情報Ｉｍの読み取り動作等はなされないようになっている。
【００６７】
（収納処理）
一方、利用者からの操作部等への操作に基づいて、小切手ＣＫの入金取引を継続する旨の指示を受けた場合、媒体処理装置１では、以下のような小切手ＣＫのスタッカ部１３内への収納処理が行われる。すなわち、図１に示したように、まず、エスクロ部１２に保留されている小切手ＣＫが、搬送路Ｐ２上を搬送方向ｄ３（搬送方向ｄ２の逆方向）に沿って、切替部１４へ向けて搬送される。
【００６８】
ここで、このような収納処理の際には、搬送路Ｐ２上のスキャナ部１１において、画像データの生成動作はなされるものの、磁気情報Ｉｍの読み取り動作は行われないようになっている。具体的には、この際にスキャナ部１１では、搬送路Ｐ２上を搬送方向ｄ３に沿って搬送されてきた小切手ＣＫに対して、取引結果等を示す情報を付与すると共に、そのような情報の付与後の小切手ＣＫを撮像して画像データを生成し、制御部１５へと供給する。より具体的には、図３に示したように、スタンプ押印部１１８がそのような情報を表すスタンプを小切手ＣＫ上に押印したり、プリンタ１１９がそのような情報を表す文字や記号等を印刷したりすることで、取引結果等を示す情報が小切手ＣＫに付与される。
【００６９】
なお、このような収納処理の実行中には、印字トリガセンサ１１５Ｂによる検知光の受光結果をトリガとして、上記した情報の付与動作（プリンタ１１９による印字動作や、スタンプ押印部１１８による押印動作）が行われる。
【００７０】
このようにして、スキャナ部１１での上記した情報の付与動作および画像データの生成動作がなされた後、図１に示したように、小切手ＣＫが搬送路Ｐ２上を切替部１４の位置まで搬送されてくる。すると、切替部１４は、搬送路Ｐ２上を搬送方向ｄ３に沿って搬送されてきた小切手ＣＫが、搬送路Ｐ３上を搬送方向ｄ３に沿って搬送されるように、切り替え動作を行う。これにより、搬送路Ｐ３上をスタッカ部１３へ向けて、小切手ＣＫが搬送される。そして、このスタッカ部１３では、搬送されてきた小切手ＣＫがその内部に集積した状態で収納される。以上により、小切手ＣＫの収納処理が終了となる。
【００７１】
（Ｂ．情報読取機構２での読み取り動作）
続いて、図８〜図１１を参照して、スキャナ部１１内の情報読取機構２による、小切手ＣＫからの磁気情報Ｉｍの読み取り動作について、詳細に説明する。
【００７２】
まず、例えば図８および図９に示したように、小切手ＣＫが、前述した基準面Ｓ１側への幅寄せ処理がなされた状態で搬送方向ｄ２に沿って搬送されてくると、情報読取機構２では、この小切手ＣＫ上の磁気情報Ｉｍの読み取り動作が、以下のようにして行われる。すなわち、基準面Ｓ１側に位置する磁気情報Ｉｍについては、固定磁気ヘッド２１Ｂにおいて読み取り動作が行われる。一方、この固定磁気ヘッド２１ＢによるＹ軸方向の読み取り可能範囲を超えた位置の（Ｙ軸方向に沿って基準面Ｓ１の反対側に位置する）磁気情報Ｉｍについては、可動磁気ヘッド２１Ａが移動することで読み取り動作が行われる。
【００７３】
このとき、磁気情報Ｉｍの読み取り動作の開始前に、可動磁気ヘッド２１Ａは、制御部１５および駆動部２８による移動制御により、適切な位置（磁気情報Ｉｍの記録位置付近）まで移動完了している。具体的には、小切手ＣＫのサイズ（図２に示した媒体幅Ｌ２）や挿入状態（挿入向き）、磁気情報Ｉｍの位置等が、撮像部１１７ｕ，１１７ｄにより得られる画像データ等に基づいて制御部１５により認識されることで、そのような可動磁気ヘッド２１Ａに対する移動制御がなされる。このようにして、読み取り動作の開始前に可動磁気ヘッド２１Ａに対する移動制御が完了できるのは、上記したように、固定磁気ヘッド２１Ｂおよび可動磁気ヘッド２１Ａの２種類の磁気ヘッドを用いて、磁気情報Ｉｍの読み取り動作をその記録位置に応じて役割分担しているからである。
【００７４】
ここで、例えば図８に示したように、小切手ＣＫの媒体幅Ｌ２が比較的小さい場合には、可動磁気ヘッド２１Ａは以下の位置まで移動完了した状態にて、磁気情報Ｉｍの読み取り動作を行う。すなわち、この場合に可動磁気ヘッド２１Ａは、固定磁気ヘッド２１Ｂに対向する位置（基準面Ｓ１側の領域）まで移動方向ｄ４１に沿って移動完了した状態で、磁気情報Ｉｍの読み取り動作を行う。また、この際に、図８に示した例では、可動磁気ヘッド２１Ａと共に移動した可動搬送ガイド２２Ａａにおいて、その少なくとも一部の領域（この例では全ての領域）が、搬送ガイド１１０ｄの下方に潜り込むようにして重ねて配置されている。
【００７５】
一方、例えば図９に示したように、小切手ＣＫの媒体幅Ｌ２が比較的大きい場合には、可動磁気ヘッド２１Ａは以下の位置まで移動完了した状態にて、磁気情報Ｉｍの読み取り動作を行う。すなわち、この場合に可動磁気ヘッド２１Ａは、固定磁気ヘッド２１Ｂの配置位置とは逆側の位置（搬送路Ｐ２の幅方向に沿った他端側の領域）まで移動方向ｄ４２に沿って移動完了した状態で、磁気情報Ｉｍの読み取り動作を行う。
【００７６】
なお、例えば図１０および図１１に示したように、磁気情報Ｉｍの読み取り動作が行われずに、小切手ＣＫが搬送方向ｄ３に沿って搬送されてきたとき（例えば、前述した小切手ＣＫの返却処理や収納処理の実行中）には、情報読取機構２では以下のように動作する。すなわち、このようにして小切手ＣＫが（読み取り動作が行われずに）情報読取機構２内を通過するだけのときには、可動磁気ヘッド２１Ａおよび可動搬送ガイド２２Ａがともに、開口Ａ１内における固定磁気ヘッド２１Ｂ側の領域（基準面Ｓ１側の領域）に位置するように移動を行う。また、特に図１１に示した例では、可動搬送ガイド２２Ａのうちの可動搬送ガイド２２Ａａにおいて、その少なくとも一部の領域（この例では全ての領域）が、搬送ガイド１１０ｄの下方に潜り込むようにして重ねて配置されている。これにより図１１に示した例では、可動磁気ヘッド２１Ａおよび可動搬送ガイド２２Ａがそれぞれ、開口Ａ１内において、固定磁気ヘッド２１Ｂに最も近づいた位置に配置されている。
【００７７】
（Ｃ．作用・効果）
ここで、本実施の形態の情報読取機構２では、図４，図５，図８，図９等に示したように、以下のようになっている。すなわち、まず、小切手ＣＫから磁気情報Ｉｍを読み取る可動磁気ヘッド２１Ａが、この小切手ＣＫの搬送方向ｄ２，ｄ３と交差する方向（移動方向ｄ４１，ｄ４２）に沿って、搬送ガイド１１０ｄに設けられた開口Ａ１内を移動可能に構成されている。また、この開口Ａ１内を可動磁気ヘッド２１Ａと共に移動方向ｄ４１，ｄ４２に沿って移動可能に構成された可動搬送ガイド２２Ａが、この移動方向ｄ４１，ｄ４２に沿って可動磁気ヘッド２１Ａの両側に設けられている。
【００７８】
これにより本実施の形態では、搬送ガイド１１０ｄにおける開口Ａ１付近を小切手ＣＫが搬送される際に、この小切手ＣＫが開口Ａ１付近で引っかかりにくくなる。具体的には、例えば、可動搬送ガイド２２Ａが、移動方向ｄ４１，ｄ４２に沿って可動磁気ヘッド２１Ａの片側にだけ設けられている場合（比較例１）と比べ、そのような小切手ＣＫの引っかかり状態の発生が抑えられる。すなわち、本実施の形態では、可動搬送ガイド２２Ａが可動磁気ヘッド２１Ａの両側に設けられているため、片側にのみ設けられている比較例１と比べ、小切手ＣＫが通過する際に開口Ａ１の大きさがより小さくよう、可動搬送ガイド２２Ａによって開口Ａ１が塞がれていることになる。したがって本実施の形態では、小切手ＣＫから磁気情報Ｉｍを読み取る際の、利便性が向上する。
【００７９】
ちなみに、本実施の形態のような小切手ＣＫの搬送状態ではなく、例えば、小切手ＣＫの停止状態にて、磁気情報Ｉｍの読み取り動作を行うようにした情報読取機構（比較例２）では、以下のようになる。すなわち、この比較例２の場合、仮に上記比較例１のように、可動搬送ガイド２２Ａが可動磁気ヘッド２１Ａの片側にのみ設けられていたとしても、小切手ＣＫの停止状態で読み取り動作を行うことから、小切手ＣＫの開口Ａ１への落下防止には、ある程度は有効であると考えられる。しかしながら、本実施の形態のような、小切手ＣＫの搬送状態（非停止状態）にて読み取り動作を行う方式では、可動磁気ヘッド２１Ａと共に可動搬送ガイド２２Ａが随時移動するようになっている。したがって、この比較例２の方式において、仮に上記比較例１の構成を適用したとしても、上記した小切手ＣＫの引っかかり状態の発生には、効果が不十分になると言える。
【００８０】
また、本実施の形態では、例えば図４および図８に示したように、可動磁気ヘッド２１Ａと共に移動する可動搬送ガイド２２Ａａでは、その少なくとも一部の領域（この例では全ての領域）が、搬送ガイド１１０ｄの下方に潜り込むようにして重ねて配置可能となっている。これにより本実施の形態では、そのような重ねた配置ができない構成の場合と比べ、開口Ａ１内における可動磁気ヘッド２１Ａおよび可動搬送ガイド２２Ａの移動範囲が、より広がることになる。したがって、可動磁気ヘッド２１Ａによる移動方向ｄ４１に沿った読取範囲の広範化が実現され、利便性の更なる向上が図られる。
【００８１】
更に、本実施の形態では、小切手ＣＫが情報読取機構２内を通過するだけのとき（磁気情報Ｉｍの非読取時）には、可動磁気ヘッド２１Ａおよび可動搬送ガイド２２Ａがともに、開口Ａ１内における固定磁気ヘッド２１Ｂ側の領域（基準面Ｓ１側の領域）に位置している。これにより、小切手ＣＫが通過する際に、開口Ａ１の大きさがより小さくよう、可動搬送ガイド２２Ａによって開口Ａ１が塞がれていることになる。したがって、小切手ＣＫが開口Ａ１付近で更に引っかかりにくくなることから、利便性の更なる向上が図られる。
【００８２】
ここで、特に図１１に示した例では、このような磁気情報Ｉｍの非読取時において、上記したように、可動搬送ガイド２２Ａａの少なくとも一部の領域（この例では全ての領域）が、搬送ガイド１１０ｄの下方に潜り込むようにして重ねて配置されている。これにより図１１に示した例では、可動磁気ヘッド２１Ａおよび可動搬送ガイド２２Ａがそれぞれ、開口Ａ１内において、固定磁気ヘッド２１Ｂに最も近づいた位置に配置されている。換言すると、この図１１に示した例では、例えば図１０に示した例と比べ、小切手ＣＫの通過面の高さにおける小切手ＣＫの幅方向（Ｙ軸方向）に沿った不均一性が、緩和されることになる。これは、前述したように、可動搬送ガイド２２Ａｂ，２２Ａｃにおける配置位置の高さはそれぞれ、搬送ガイド１１０ｄおよび固定搬送ガイド２２Ｂにおける各配置位置の高さと同一となっている（揃えて設定されている）ためである。一方、前述したように、可動搬送ガイド２２Ａａにおける配置位置の高さは、例えば図６に示したように、搬送ガイド１１０ｄおよび固定搬送ガイド２２Ｂにおける各配置位置の高さとは異なっており、これらの高さよりも低くなるように設定されている。これらのことから、図１１に示した例では、例えば図１０に示した例と比べ、小切手ＣＫの通過面の高さにおける幅方向に沿った不均一性が緩和される結果、小切手ＣＫが開口Ａ１付近で更に引っかかりにくくなり、利便性の更なる向上が図られると言える。
【００８３】
加えて、本実施の形態では、例えば図１２に模式的に示したように、可動磁気ヘッド２１Ａを移動させる際に駆動部２８に流れる電流Ｉｄの絶対値｜Ｉｄ｜について、期間に応じた以下の大小関係が設定されている。すなわち、この例では、可動磁気ヘッド２１Ａによる磁気情報Ｉｍの読み取り期間Ｔｒでは、この可動磁気ヘッド２１Ａの（読み取り位置への）移動期間Ｔｍと比べ、駆動部２８に対する電流Ｉｄの供給が、減少または停止するようになっている（図１２中の矢印ｄ５参照）。つまり、この例においては、（読み取り期間Ｔｒにおける電流Ｉｄの絶対値｜Ｉｄ｜）＜（移動期間Ｔｍにおける電流Ｉｄの絶対値｜Ｉｄ｜）、という大小関係が成り立っている。これにより本実施の形態では、このような大小関係が成り立っていない場合と比べ、駆動部２８を構成するアクチュエータにおける磁場の発生量が抑えられる結果、可動磁気ヘッド２１Ａによる磁気情報Ｉｍの読み取り動作の際の、ノイズ量が小さくなる。したがって、磁気情報Ｉｍの読み取り信号に混入するノイズ量が抑えられる（読み取り信号におけるＳ／Ｎ比（signal-noise ratio）が大きくなる）ことから、情報読取機構２における磁気情報Ｉｍの読み取り精度の向上が図られる。
【００８４】
以上のように本実施の形態では、可動磁気ヘッド２１Ａが移動方向ｄ４１，ｄ４２に沿って開口Ａ１内を移動可能に構成されていると共に、この可動磁気ヘッド２１Ａとともに移動する可動搬送ガイド２２Ａが、移動方向ｄ４１，ｄ４２に沿って可動磁気ヘッド２１Ａの両側に設けられているようにしたので、以下のようになる。すなわち、これにより情報読取機構２では、搬送ガイド１１０ｄにおける開口Ａ１付近を小切手ＣＫが搬送される際に、この小切手ＣＫが開口Ａ１付近で引っかかりにくくなる。よって、本実施の形態の小切手処理装置１では、情報読取機構２を用いて小切手ＣＫから磁気情報Ｉｍを読み取る際の、利便性を向上させることが可能となる。また、小切手ＣＫが開口Ａ１付近で引っかかりにくくなることから、例えば、情報読取機構２および小切手処理装置１における動作の信頼性を向上させることも可能となる。
【００８５】
更に、本実施の形態では、可動搬送ガイド２２Ａが、小切手ＣＫの搬送方向ｄ２，ｄ３に沿って、可動磁気ヘッド２１Ａの少なくとも一方側（この例では両端側）にも設けられているようにしたので、以下のようになる。すなわち、上記した、小切手ＣＫの開口Ａ１付近での引っかかりが更に抑えられるようになる結果、利便性よび信頼性の更なる向上を図ることが可能となる。
【００８６】
＜２．変形例＞
以上、実施の形態を挙げて本開示を説明したが、本開示はこの実施の形態に限定されず、種々の変形が可能である。
【００８７】
例えば、上記実施の形態では、媒体処理装置および情報読取機構における各部材の構成（形状、配置、個数等）を具体的に挙げて説明したが、各部材におけるこれらの構成については、上記実施の形態で説明したものには限られず、他の形状や配置、個数等であってもよい。また、上記実施の形態で説明した各種パラメータの値や範囲、大小関係等についても、上記実施の形態で説明したものには限られず、他の値や範囲、大小関係等であってもよい。
【００８８】
具体的には、例えば、各搬送ガイドや磁気ヘッド、開口等における形状や配置、個数等については、上記実施の形態で説明したものには限られず、他の形状や配置、個数等であってもよい。より具体的には、例えば、可動搬送ガイド２２Ａが、小切手ＣＫの搬送方向（搬送方向ｄ２，ｄ３）に沿って片側にだけ設けられているようにしてもよい。更には、例えば、例えば、可動搬送ガイド２２Ａが、この小切手ＣＫの搬送方向に沿っては設けられていない（小切手ＣＫの幅方向（移動方向ｄ４１，ｄ４２）に沿って可動磁気ヘッド２１Ａの両側にのみ設けられている）ようにしてもよい。
【００８９】
また、上記実施の形態では、固定磁気ヘッド２１Ｂおよび可動磁気ヘッド２１Ａの２種類の磁気ヘッドを用いて磁気情報Ｉｍの読み取り動作を行う場合の例について説明したが、この例には限られない。すなわち、例えば、固定磁気ヘッド２１Ｂが設けられておらず、可動磁気ヘッド２１Ａのみを用いて磁気情報Ｉｍの読み取り動作を行うようにしてもよい。更には、上記実施の形態では、磁気ヘッドを用いた情報の読み取り方式を例に挙げて説明したが、これには限られず、例えば、磁気ヘッドとは異なる読み取り方式（磁気方式以外の読み取り方式）を利用して、読取ヘッド（情報読取部）を構成するようにしてもよい。
【００９０】
また、上記実施の形態で挙げた例とは異なり、可動搬送ガイド２２Ａの一部もしくは全部が、搬送ガイド１１０ｄの下方に潜り込むようにして重ねて配置されないようにしてもよい。更に、上記実施の形態で挙げた例とは異なり、搬送ガイド１１０ｕ，１１０ｄおよび可動搬送ガイド２２Ａにおける開口Ａ１の周辺領域に、傾斜部Ｓ２，Ｓ３が設けられていないようにしてもよい。加えて、駆動部２８に供給される電流Ｉｄの大小関係が、上記実施の形態で説明した大小関係とは異なるように設定してもよい。
【００９１】
また、上記実施の形態では、磁気情報Ｉｍの記録方法として、小切手ＣＫ上に磁気インクを利用した文字（磁気インク文字）を印刷する方法を用いた場合の例を挙げて説明したが、この例には限られない。すなわち、例えば、小切手ＣＫ上に磁気テープを貼り付ける記録方法等を用いてもよいし、更には、磁気方式以外（例えば電気方式等）を用いて、シート媒体上に情報を記録するようにしてもよい。
【００９２】
また、上記実施の形態では、受入口１０に小切手ＣＫが１枚ずつ挿入される場合の例を挙げて説明したが、この例には限られない。すなわち、例えば受入口１０において、複数の小切手ＣＫを束ねた束小切手が挿入できるようにすると共に、媒体処理装置１内の所定の部材において、その束小切手を１枚ずつに分離して処理するようにしてもよい。
【００９３】
加えて、上記実施の形態では、小切手ＣＫの搬送方向ｄ２，ｄ３と、可動磁気ヘッド２１Ａ等の移動方向ｄ４１，ｄ４２とが、互いに直交している場合の例を挙げて説明したが、この例には限られない。すなわち、例えば、これらの搬送方向ｄ２，ｄ３と移動方向ｄ４１，ｄ４２とが、互いに非直交状態で交差しているようにしてもよい。
【００９４】
また、上記実施の形態で説明した一連の処理は、ハードウェア（回路）で行われるようにしてもよいし、ソフトウェア（プログラム）で行われるようにしてもよい。ソフトウェアで行われるようにした場合、そのソフトウェアは、各機能をコンピュータにより実行させるためのプログラム群で構成される。各プログラムは、例えば、上記コンピュータに予め組み込まれて用いられてもよいし、ネットワークや記録媒体から上記コンピュータにインストールして用いられてもよい。
【００９５】
更に、上記実施の形態では、本開示における「媒体処理装置」の一具体例として、小切手ＣＫの入金取引に関する各種処理を行う小切手処理装置１を例に挙げて説明したが、この例には限られず、小切手ＣＫ以外のシート状媒体についても、本開示を適用することが可能である。すなわち、例えば、商品券等の小切手以外の有価証券、あるいは、通帳や紙幣など、種々のシート状媒体（紙葉状の媒体）を取り扱う種々の媒体処理装置についても、本開示を適用することが可能である。
【００９６】
加えて、これまでに説明した各種の例を、任意の組み合わせで適用させるようにしてもよい。
【００９７】
なお、本明細書中に記載された効果はあくまで例示であって限定されるものではなく、また、他の効果があってもよい。
【００９８】
また、本開示は、以下のような構成を取ることも可能である。
（１）
開口を有し、情報が記録されたシート状媒体の第１の方向への搬送を案内する第１の搬送ガイドと、
前記第１の方向と交差する第２の方向に沿って前記開口内を移動可能に構成され、前記シート状媒体から前記情報を読み取る第１の読取ヘッドと、
前記第２の方向に沿って前記第１の読取ヘッドの両側に設けられ、前記開口内を前記第１の読取ヘッドと共に前記第２の方向に移動可能に構成された第２の搬送ガイドと
を備えた情報読取機構。
（２）
前記第２の搬送ガイドが、前記第１の方向に沿った前記第１の読取ヘッドの両側に、更に設けられている
上記（１）に記載の情報読取機構。
（３）
前記シート状媒体から前記情報を読み取ると共に前記第２の方向に沿って固定配置された第２の読取ヘッドが、更に設けられている
上記（１）または（２）に記載の情報読取機構。
（４）
前記第２の読取ヘッドが、前記シート状媒体の搬送路における前記第２の方向に沿った端部領域に固定配置されている
上記（３）に記載の情報読取機構。
（５）
前記第２の搬送ガイドのうちの前記第２の読取ヘッドに対向する部分の少なくとも一部が、前記第１の搬送ガイドの下方に配置可能となっている
上記（４）に記載の情報読取機構。
（６）
前記シート状媒体が、前記情報の読み取りが行われずに前記第１の方向へ搬送される場合には、
前記第１の読取ヘッドおよび前記第２の搬送ガイドがともに、前記開口内における前記第２の読取ヘッド側に位置する
上記（４）に記載の情報読取機構。
（７）
前記シート状媒体が、前記情報の読み取りが行われずに前記第１の方向へ搬送される場合には、
前記第１の読取ヘッドおよび前記第２の搬送ガイドがともに、前記開口内における前記第２の読取ヘッド側に位置すると共に、
前記第２の搬送ガイドのうちの前記第２の読取ヘッドに対向する部分の少なくとも一部が、前記第１の搬送ガイドの下方に配置される
上記（４）に記載の情報読取機構。
（８）
前記第１および第２の読取ヘッドはそれぞれ、前記シート状媒体が前記第１の方向へ搬送されている状態で、前記情報の読み取りを行う
上記（３）ないし（７）のいずれかに記載の情報読取機構。
（９）
前記第１および第２の搬送ガイドはそれぞれ、前記開口の周辺領域に、前記シート状媒体の搬送路から外側へ向けて傾斜している傾斜部を更に有する
上記（１）ないし（８）のいずれかに記載の情報読取機構。
（１０）
前記第１の読取ヘッドを前記第２の方向へ移動させる駆動部を更に備え、
前記第１の読取ヘッドによる前記情報の読み取り期間では、前記駆動部に対する電流の供給が、減少または停止する
上記（１）ないし（９）のいずれかに記載の情報読取機構。
（１１）
前記第２の方向が、前記第１の方向と直交している
上記（１）ないし（１０）のいずれかに記載の情報読取機構。
（１２）
情報が記録されたシート状媒体から前記情報を読み取る情報読取機構と、
前記シート状媒体に関する処理を行う媒体処理部と
を備え、
前記情報読取機構は、
開口を有し、前記シート状媒体の第１の方向への搬送を案内する第１の搬送ガイドと、
前記第１の方向と交差する第２の方向に沿って前記開口内を移動可能に構成され、前記シート状媒体から前記情報を読み取る第１の読取ヘッドと、
前記第２の方向に沿って前記第１の読取ヘッドの両側に設けられ、前記開口内を前記第１の読取ヘッドと共に前記第２の方向に移動可能に構成された第２の搬送ガイドと
を備えた媒体処理装置。
【符号の説明】
【００９９】
１…小切手処理装置、１０…受入口、１００…フレーム、１１…スキャナ部、１１０ｕ，１１０ｄ…搬送ガイド、１１１Ａ，１１１Ｂ，１１１Ｃ，１１１Ｄ…搬送ローラ対、１１２…駆動ローラ、１１３…従動ローラ、１１４…スプリング、１１５Ａ…磁気トリガセンサ、１１５Ｂ…印字トリガセンサ、１１６…磁気ヘッド、１１７ｕ，１１７ｄ…撮像部、１１８…スタンプ押印部、１１９…プリンタ、１２…エスクロ部、１２０…ドラム、１３…スタッカ部、１４…切替部、１５…制御部、２…情報読取機構、２０…支持部材、２１Ａ…可動磁気ヘッド、２１Ｂ…固定磁気ヘッド、２２Ａ，２２Ａａ，２２Ａｂ，２２Ａｃ…可動搬送ガイド、２２Ｂ…固定搬送ガイド、２３Ａ，２３Ｂ…スプリング、２４Ａ，２４Ｂ，２５…ブラケット、２６１，２６２，２６３…シャフト、２７Ａ，２７Ｂ…ローラ、２８…駆動部、ＣＫ…小切手、Ｌ１…距離、Ｌ２…媒体幅、Ｌ３…媒体長、Ｉｍ…磁気情報、Ｐ１，Ｐ２，Ｐ３…搬送路、ｄ０…挿入方向、ｄ１，ｄ２，ｄ３…搬送方向、ｄ４１，ｄ４２…移動方向、ｄ５…矢印、Ｓ１…基準面、Ｓ２，Ｓ３…傾斜部、Ａ１，Ａ２，Ａ３…開口、Ｉｄ…電流、Ｔｍ…移動期間、Ｔｒ…読み取り期間。
【図１】
2018142114.tif 000003
【図２】
2018142114.tif 000004
【図３】
2018142114.tif 000005
【図４】
2018142114.tif 000006
【図５】
2018142114.tif 000007
【図６】
2018142114.tif 000008
【図７】
2018142114.tif 000009
【図８】
2018142114.tif 000010
【図９】
2018142114.tif 000011
【図１０】
2018142114.tif 000012
【図１１】
2018142114.tif 000013
【図１２】
2018142114.tif 000014